(57)【要約】【課題】本発明は、高解像度を有して、アドレス消費電力を低減させることができるように、プラズマディスプレイパネルの画素の配列及び電極の配列を改善する。【解決手段】互いに対向する対向面を各々有し、その間の空間に区画される複数の放電セルを含む第１基板１０及び第２基板３０、第１基板及び第２基板の間で第１方向に沿って形成されるアドレス電極１５、第１基板及び第２基板の間で前記アドレス電極と離隔して前記第１方向と交差する第２方向に沿って形成される表示電極３５を含み、１個の画素を構成する複数の放電セルのうちの少なくとも２個は、同一のアドレス電極に対応して駆動され、前記第２方向に沿って配列される画素の数Ｒｈ×前記第１方向に沿って配列される画素の数Ｒｖの解像度を実現することができる前記第２方向に沿って配列される１行の画素の数は、少なくともＲｈ／１．２５個である。【選択図】図１
2008004528.tif 000002
【特許請求の範囲】
【請求項１】
第１基板と、
前記第１基板と対向する第２基板と、
前記第１基板及び前記第２基板の間に区画される複数の放電セルと、
前記第１基板及び第２基板の間で第１方向に沿って形成されるアドレス電極と、
前記第１基板及び第２基板の間で前記アドレス電極と離隔して前記第１方向と交差する第２方向に沿って形成される表示電極とを含み、
１個の画素を構成する複数の放電セルのうちの少なくとも２個は、同一のアドレス電極に対応して駆動され、
Ｒｈ×Ｒｖの解像度を実現することができる前記第２方向に沿って配列される１行の画素の数は、少なくともＲｈ／１．２５個であることを特徴とするプラズマディスプレイパネル。
ここで、Ｒｖは第１方向に沿って配列される画素の数であり、Ｒｈは第２方向に沿って配列される画素の数である。
【請求項２】
前記各画素は、３個の放電セルから構成され、前記各画素を構成する放電セルの中心が三角形に配置されることを特徴とする請求項１に記載のプラズマディスプレイパネル。
【請求項３】
前記三角形は二等辺三角形であり、前記二等辺三角形の底辺が前記第１方向と平行に配置されることを特徴とする請求項２に記載のプラズマディスプレイパネル。
【請求項４】
前記各画素に対応するアドレス電極の数は、２個であることを特徴とする請求項１に記載のプラズマディスプレイパネル。
【請求項５】
前記第２方向に沿って配列されるアドレス電極の数は、少なくとも２×Ｒｈ／１．２５個であることを特徴とする請求項１に記載のプラズマディスプレイパネル。
【請求項６】
前記表示電極は、各放電セルに共に対応する維持電極及び走査電極を含み、
前記各画素に対応する前記走査電極の数は、３／２個であることを特徴とする請求項１に記載のプラズマディスプレイパネル。
【請求項７】
前記第１方向に沿って配列される走査電極の数は、Ｒｖ×３／２個であり、前記第２方向に沿って配列されるアドレス電極の数は、少なくとも２×Ｒｈ／１．２５個であることを特徴とする請求項６に記載のプラズマディスプレイパネル。
【請求項８】
前記維持電極及び走査電極の各々は、前記第２方向に延びて形成されるバス電極及び前記バス電極よりの広い幅で前記バス電極に沿ってのびて形成される透明電極を含むことを特徴とする請求項６に記載のプラズマディスプレイパネル。
【請求項９】
前記解像度Ｒｈ×Ｒｖは、１９２０×１０８０であることを特徴とする請求項１に記載のプラズマディスプレイパネル。
【請求項１０】
前記解像度Ｒｈ×Ｒｖは、１３６６×７６８であることを特徴とする請求項１に記載のプラズマディスプレイパネル。
【請求項１１】
前記各放電セルは、平面形状が六角形であることを特徴とする請求項１に記載のプラズマディスプレイパネル。
【請求項１２】
前記各放電セルは、平面形状が長方形であることを特徴とする請求項１に記載のプラズマディスプレイパネル。
【請求項１３】
前記第１方向に隣接する一対の放電セルの境界の延長線は、前記第２方向に隣接する放電セルの中心を通過するように配列されることを特徴とする請求項１に記載のプラズマディスプレイパネル。
【発明の詳細な説明】
【技術分野】
【０００１】
本発明は、プラズマディスプレイパネルに関し、より詳細には、高解像度を有して、アドレス消費電力を減少させることができるように、画素の配列及び電極の配列を改善した、プラズマディスプレイパネルに関するものである。
【背景技術】
【０００２】
一般に、プラズマディスプレイパネルは、気体放電によって発生したプラズマから放射される真空紫外線が蛍光体を励起させることによって発生する赤色（Ｒ）、緑色（Ｇ）、青色（Ｂ）の可視光を利用して画像を表示するディスプレイ素子である。
【０００３】
前記プラズマディスプレイパネルは、６０インチ以上の超大型画面をわずか１０ｃｍ以下の厚さに実現することができ、ＣＲＴのような自発光ディスプレイ素子であるため、色再現力が優れていて、視野角によるわい曲現象がないという特性がある。また、前記プラズマディスプレイパネルは、ＬＣＤなどに比べて製造工程が単純で、生産性及び製造費用の面でも有利であるため、ＴＶ及び産業用平板ディスプレイとして脚光を浴びている。
【０００４】
プラズマディスプレイパネルには、３電極面放電型プラズマディスプレイパネルがある。前記３電極面放電型プラズマディスプレイパネルは、同一面上に位置した維持電極及び走査電極を含む基板、及びこれから一定の距離をおいて離隔して垂直方向に形成されるアドレス電極を含む他の基板からなり、その間に放電ガスが封入されている。
【０００５】
前記プラズマディスプレイパネルにおいて、放電の有無は、各ラインに接続されて独立的に制御される走査電極及びアドレス電極の放電によって決定され、画面を表示する維持放電は、同一面上に位置した維持電極及び走査電極によって行われる。
【０００６】
図６及び図７は各々従来のプラズマディスプレイパネルの画素及び電極の配列を示した平面図である。図６はストライプ型隔壁構造を有するプラズマディスプレイパネルを示しており、図７はデルタ型隔壁構造を有するプラズマディスプレイパネルを示している。
【０００７】
図６に示したように、ストライプ型隔壁構造を有するプラズマディスプレイパネルにおいて、放電セルは、放電ギャップを形成し、対向する維持電極（Ｘｎ、・・・、Ｘｎ＋３）及び走査電極（Ｙｎ、…、Ｙｎ＋３）の間に形成されて、１個の画素（ｐｉｘｅｌ）６１は、このような放電セルのうちの互いに隣接する赤色、緑色、青色の放電セル６１Ｒ、６１Ｇ、６１Ｂから構成される。この時、アドレス電極６５は、前記１個の画素６１を構成する放電セル６１Ｒ、６１Ｇ、６１Ｂの各々を通過するように形成される。
【０００８】
したがって、図面に示されているように、１６個の画素６１を考慮する時、各画素６１当たり３個ずつ、総計で１２個のアドレス電極６５（Ａｍ、Ａｍ＋１、…、Ａｍ＋１１）が必要となる。しかし、プラズマディスプレイパネルが次第に高解像度に発展するのに伴って、放電セルを高集積化する場合、各放電セルを通過するアドレス電極６５が次第に近づいて、それによって隣接するアドレス電極の間のキャパシタンス（Ｃ）値が増加して、必然的にエネルギーの消耗が増加する。
【０００９】
また、図７に示したように、デルタ型隔壁構造を有するプラズマディスプレイパネルにおいて、放電セルは、隔壁によって独立した空間に区画されて、１個の画素７１は、このような放電セルのうちの三角形をなして互いに隣接して配置される赤色、緑色、青色の放電セル７１Ｒ、７１Ｇ、７１Ｂから構成される。この時、アドレス電極７５は、前記１個の画素７１を構成する放電セル７１Ｒ、７１Ｇ、７１Ｂの各々を通過するように形成される。
【００１０】
この場合にも、図面に示されているように、１６個の画素７１を考慮する時、各画素７１当たり３個ずつ、総計で１２個のアドレス電極７５（Ａｍ、Ａｍ＋１、…、Ａｍ＋１１）が必要となる。しかし、プラズマディスプレイパネルが次第に高解像度に発展するのに伴って、放電セルを高集積化する場合、各放電セルを通過するアドレス電極７５が次第に近づいて、それによって隣接するアドレス電極の間のキャパシタンス（Ｃ）値が増加して、必然的にエネルギーの消耗が増加する。
【発明の開示】
【発明が解決しようとする課題】
【００１１】
本発明は、前記のような問題点を解決するために創案されたものであって、その目的は、画素の配列を改善して、各画素に対応するアドレス電極の数を減少させることによって、高解像度パネルの製作時のアドレス消費電力の増加を抑制すると同時に、アドレス回路の数を減少させることによって、製作費用を低減させることができるプラズマディスプレイパネルを提供することにある。
【課題を解決するための手段】
【００１２】
本発明の一実施形態によるプラズマディスプレイパネルは、互いに対向する対向面を各々有する第１基板及び前記第１基板と対向する第２基板、前記第１基板及び前記第２基板の間に区画される複数の放電セル、前記第１基板及び第２基板の間で第１方向に沿って形成されるアドレス電極、及び前記第１基板及び第２基板の間で前記アドレス電極と離隔して前記第１方向と交差する第２方向に沿って形成される表示前極を含み、１個の画素を構成する複数の放電セルのうちの少なくとも２個は、同一のアドレス電極に対応して駆動され、Ｒｈ×Ｒｖの解像度を実現することができる前記第２方向に沿って配列される１行の画素の数は、少なくともＲｈ／１．２５個である。
【００１３】
前記各画素は、３個の放電セルから構成され、前記各画素を構成する放電セルの中心が三角形に配置される。
【００１４】
前記三角形は二等辺三角形であり、前記二等辺三角形の底辺が前記第１方向と平行に配置される。
【００１５】
前記各画素に対応するアドレス電極の数は、２個であり、この場合、前記第２方向に沿って配列されるアドレス電極の数は、少なくとも２×Ｒｈ／１．２５個である。
【００１６】
前記表示電極は、各放電セルに共に対応する維持電極及び走査電極を含み、前記各画素に対応する前記走査電極の数は、３／２個である。この場合、前記第１方向に沿って配列される走査電極の数は、Ｒｖ×３／２個である。
【００１７】
また、前記維持電極及び走査電極の各々は、前記第２方向にのびて形成されるバス電極及び前記バス電極より広い幅で前記バス電極に沿って延びて形成される透明電極を含む。
【００１８】
前記解像度Ｒｈ×Ｒｖは、１９２０×１０８０である。
【００１９】
前記解像度Ｒｈ×Ｒｖは、１３６６×７６８である。
【００２０】
前記各放電セルは、平面形状が六角形または長方形である。
【００２１】
この場合、前記第１方向に隣接する一対の放電セルの境界の延長線は、前記第２方向に隣接する放電セルの中心を通過するように配列される。
【発明の効果】
【００２２】
本発明によれば、プラズマディスプレイパネルの画素の配列及び電極の配列を改善するので、アドレス電極の数を減少させることができる。そして、アドレス電極の数を減少させるので、アドレス消費電力も低減させることができる。
【００２３】
また、アドレス電極の数の減少によってアドレス回路の数も減少するので、全体的にプラズマディスプレイパネルの製造費用を低減させることができる。
【００２４】
また、従来のストライプ構造と同一な解像度を実現しつつも、アドレス電極の数をより減少させることができるので、プラズマディスプレイパネルの製造費用をより低減させることができる。
【発明を実施するための最良の形態】
【００２５】
図１に示すように、本実施形態によるプラズマディスプレイパネルは、赤色、緑色、青色の可視光を発生させる３個の副画素（ｓｕｂｐｉｘｅｌ）が三角形に配置されて一組の画素（ｐｉｘｅｌ）を形成する、いわゆるデルタ構造のプラズマディスプレイパネルである。
【００２６】
これをより具体的に見てみると、前記プラズマディスプレイパネルは、その間に任意の間隔をおいて実質的に平行に配置されて封入される第１基板（以下、背面基板とする）１０及び第２基板（以下、前面基板とする）３０を含む。
【００２７】
前記背面基板１０及び前面基板３０の間には、所定の高さで任意のパターンで画素１２０を区画形成する隔壁２３が配置される。ここで、一組の画素１２０は、前記のように三角形に配置される３個の副画素１２０Ｒ、１２０Ｇ、１２０Ｂから構成される。
【００２８】
この時、副画素１２０Ｒ、１２０Ｇ、１２０Ｂは、各々放電セル１８を含み、前記放電セル１８は、隔壁２３によって区画形成される。
【００２９】
本実施形態で、各々の副画素１２０Ｒ、１２０Ｇ、１２０Ｂの平面形状はほぼ六角形であるので、前記副画素１２０Ｒ、１２０Ｇ、１２０Ｂを区画形成する隔壁２３も六角形に形成される。したがって、各副画素１２０Ｒ、１２０Ｇ、１２０Ｂに含まれる放電セル１８は、上部が開口された六角柱の形状に形成される。
【００３０】
前記放電セル１８内には、プラズマ放電に必要なゼノン（Ｘｅ）、ネオン（Ｎｅ）などを含む放電ガスが充填されている。前記赤色（Ｒ）、緑色（Ｇ）、青色（Ｂ）の可視光を各々発生させる副画素１２０Ｒ、１２０Ｇ、１２０Ｂには、これに対応する赤色、緑色、青色の蛍光体層２５が各々形成されている。前記蛍光体層２５は、各放電セル１８の底面及び隔壁２３の側面に形成される。
【００３１】
アドレス電極１５は、背面基板１０上で、第１方向（図面のｙ軸方向）に沿って各々のびて形成され、第２方向（図面のｘ軸方向）に沿って平行に配列される。前記アドレス電極１５は、各放電セル１８の下側（つまり、背面基板及び隔壁の間）を通過するように配列される。それと同時に、誘電層１２は、アドレス電極１５を覆って背面基板１０の全面に形成される。したがって、アドレス電極１５は、隔壁２３が形成する層の下部に位置する。
【００３２】
一方、前記前面基板３０上には、第２方向に沿って表示電極３５が複数形成され、前記表示電極３５は、各放電セル１８に共に対応して放電ギャップを形成する維持電極３２及び走査電極３４を含む。また、前記維持電極３２及び走査電極３４は、第１方向に沿って互いに交互に配列される。
【００３３】
前記維持電極３２及び走査電極３４の各々は、前面基板３０に第２方向に沿ってのびて形成されるバス電極３２ａ、３４ａ及び前記バス電極３２ａ、３４ａより広い幅を有して第２方向に沿ってバス電極３２ａ、３４ａを覆って形成される透明電極３２ｂ、３４ｂを含んで構成される。
【００３４】
前記バス電極３２ａ、３４ａは、通電性が優れている金属材質からなることができる。前記バス電極３２ａ、３４ａは、プラズマディスプレイパネルの駆動時に、放電セル１８で発生する可視光の遮蔽を最少化するために、通電性を確保することができる範囲内で可能な限り、その線幅を最少化して形成されるのが好ましい。
【００３５】
前記透明電極３２ｂ、３４ｂは、ＩＴＯ（インジウムスズ酸化物）のような透明な材質からなって、各バス電極３２ａ、３４ａと共に第２方向にのびて形成される。したがって、１個の放電セル１８内には、その間に任意の間隔をおいて一対の透明電極３２ｂ、３４ｂが対向配置される。
【００３６】
また、前面基板３０上には、維持電極３２及び走査電極３４を覆って前面基板３０の全面に誘電層（図示せず）が形成され、その上にＭｇＯからなる保護膜（図示せず）がさらに形成されることができる。
【００３７】
図２に示すように、本実施形態において、各画素１２０には２個のアドレス電極１５、１５が対応する。前記各画素１２０は、赤色、緑色、青色の可視光を各々発生させる３個の副画素１２０Ｒ、１２０Ｇ、１２０Ｂから構成される。
【００３８】
前記画素１２０を構成する副画素１２０Ｒ、１２０Ｇ、１２０Ｂの中心は、三角形に配置される。より具体的に説明すると、副画素１２０Ｒ、１２０Ｇ、１２０Ｂの中心は二等辺三角形に配置され、前記二等辺三角形の底辺が第１方向（図面のｙ軸方向）と平行に配置される。そして、画素１２０を構成する３個の放電セル１８、つまり副画素１２０Ｒ、１２０Ｇ、１２０Ｂのうちの２個の放電セル１８は、第１方向に隣接して平行に配置される。このように副画素１２０Ｒ、１２０Ｇ、１２０Ｂが配列されることによって、第１方向の放電空間を増大させて、放電に適した空間を形成するので、マージンを向上させる効果がある。
【００３９】
また、１個の画素１２０を構成する副画素１２０Ｒ、１２０Ｇ、１２０Ｂのうちの少なくとも２個は、同一のアドレス電極１５に対応して駆動される。そして、前記１個の画素１２０には、３／２個の走査電極３４が対応する。つまり、図２に示したように、第２方向（図面のｘ軸方向）の１行に４個の画素１２０が配列されており、これら画素１２０に対応するアドレス電極１５の数は総計で８個（Ａｍ＋１〜Ａｍ＋８）であるので、各画素１２０に対応するアドレス電極１５の数は、８／４＝２個である。また、第１方向の１列に４個の画素１２０が配列されており、これら画素１２０に対応する走査電極３４の数は総計で６個（Ｙｎ＋１〜Ｙｎ＋６）であるので、各画素１２０に対応する走査電極３４の数は、６／４＝３／２個である。つまり、１個の画素１２０を構成する３個の副画素１２０Ｒ、１２０Ｇ、１２０Ｂは、２個のアドレス電極１５及び３／２個の走査電極３４によって放電の有無が決定される。この対応関係をより具体的に説明すると、第１方向に隣接する２個の放電セル１８に形成される２個の副画素１２０Ｇ、１２０Ｂは、１個のアドレス電極１５に対応し、他の１個の放電セル１８に形成される他の副画素１２０Ｒは、他のアドレス電極１５に対応する。同一な１個のアドレス電極１５に対応する２個の放電セル１８の副画素１２０Ｇ、１２０Ｂには、互いに異なる色の可視光を発生させる蛍光体層２５が形成されている。
【００４０】
また、第２方向（図面のｘ軸方向）に隣接する２個の放電セル１８の副画素１２０Ｒ、１２０Ｂには、１個の走査電極（Ｙｎ＋３）が配置され、他の１個の放電セル１８の他の副画素１２０Ｇには、他の走査電極（Ｙｎ＋２）が配置される。１個の走査電極（Ｙｎ＋３）が配置される２個の放電セル１８には、互いに異なる色の可視光を発生させる蛍光体層２５が形成されている。
【００４１】
前記走査電極（Ｙｎ＋３、Ｙｎ＋２）が配置される１個の画素１２０には、維持電極（Ｘｎ＋３、Ｘｎ＋４）も対応するように配置される。前記維持電極（Ｘｎ＋３、Ｘｎ＋４）及び走査電極（Ｙｎ＋３、Ｙｎ＋２）は、１個の画素１２０に各々対向配置される。
【００４２】
前記画素１２０に対応する維持電極３２及び走査電極３４の配列は、反復的に配列される画素１２０の選択によって、前記のように設定されることもでき、前記とは異なるように設定されることもできる。
【００４３】
例えば、バス電極３２ａ、３４ａが各放電セル１８の境界を通過して第２方向に沿ってジグザグ形態にのびて形成され、前記バス電極３２ａ、３４ａから透明電極３２ｂ、３４ｂが各放電セル１８の中心に向かって突出形成することもできる。このように、走査電極３４及び維持電極３２が各放電セル１８の境界を通過して前記境界を中心に隣接する一対の放電セル１８に共通の電圧を印加するように配置される場合には、１個の画素１２０に３／４個の走査電極３４が対応する。
【００４４】
しかし、本実施形態では、１個の画素１２０を構成する３個の副画素１２０Ｒ、１２０Ｇ、１２０Ｂの中心が三角形に配置されているにもかかわらず、維持電極３２及び走査電極３４は直線に形成されている。したがって、維持電極３２及び走査電極３４は、平面上で第２方向に副画素１２０Ｒ、１２０Ｇ、１２０Ｂのうちの互いに異なる２個の副画素を横切って配置される。これによって、維持電極３２及び走査電極３４の各々は、３個の副画素１２０Ｒ、１２０Ｇ、１２０Ｂから構成される１個の画素１２０に対して３／２個ずつ対応する。
【００４５】
つまり、一方の走査電極（Ｙｎ＋３）は、１個の画素１２０で第２方向に隣接する２個の副画素１２０Ｒ、１２０Ｂを通過しながら共通の電圧を印加するようになり、他方の走査電極（Ｙｎ＋２）は、同一な１個の画素１２０で１個の副画素１２０Ｇを通過しながら電圧を印加するようになる。また、前記走査電極（Ｙｎ＋２）は、第２方向に隣接する他の画素１２０の２個の副画素１２０Ｇ、１２０Ｂを通過しながら共通の電圧を印加するようになる。
【００４６】
維持電極３２は、前記走査電極３４に対向する。維持電極（Ｘｎ＋４）は、走査電極（Ｙｎ＋３）に対向して、１個の画素１２０で１個の副画素１２０Ｂに対応して電圧を印加するようになる。また、前記維持電極（Ｘｎ＋４）は、第２方向に隣接する他の画素１２０の２個の副画素１２０Ｒ、１２０Ｇを通過しながら共通の電圧を印加するようになる。他の維持電極（Ｘｎ＋３）は、１個の画素１２０で他の２個の副画素１２０Ｒ、１２０Ｇに対応して共通の電圧を印加するようになる。また、前記維持電極（Ｘｎ＋３）は、第１方向の両側に走査電極（Ｙｎ＋３）及び他の走査電極（Ｙｎ＋２）に対向する。したがって、前記走査電極３４及び維持電極３２は、第１方向に沿って互いに交互に配列されて、各々一対の放電セル１８の駆動を制御する。
【００４７】
１個の画素１２０を基準に見ると、アドレス電極１５は２個ずつ対応し、走査電極３４は３／２個ずつ対応する。したがって、第１方向に４個の画素１２０及び第２方向に４個の画素１２０を考慮すれば、画素１２０を通過する走査電極３４は平均６個であり、アドレス電極１５は８個である。
【００４８】
本実施形態のように、各画素１２０別に２個のアドレス電極１５が対応して、３／２個の走査電極３４が対応する場合、各画素１２０別に対応するアドレス電極１５及び走査電極３４は、下記の数式１の比を満たす。
アドレス電極の数：走査電極の数＝４：３
図２に示した実施形態では、第２方向に沿って４列の画素１２０が配列され、第１方向に沿って４行の画素１２０が配列されて、総計で１６個の画素１２０が配列される。この場合、アドレス電極１５は、各画素１２０列当り２個ずつ対応するので、総計で１６個の画素１２０に総計で８個のアドレス電極１５（Ａｍ＋１、…、Ａｍ＋８）が対応し、走査電極３４は、各画素１２０行当り３／２個ずつ対応するので、総計で１６個の画素１２０に総計で６個の走査電極（Ｙｎ＋１、…、Ｙｎ＋６）が対応する。維持電極（Ｘｎ＋１、…、Ｘｎ＋６）は各画素１２０別に走査電極３４と同一に対応して、総計で１６個の画素１２０に６個が対応する。
【００４９】
このような画素の配列において、同一なアドレス電極１５に対応する隣接する２個の副画素１２０Ｇ、１２０Ｂには、互いに異なる色の蛍光体層が形成されている。また、このように対応しながら、１個のアドレス電極１５には、互いに異なる色の蛍光体層が形成されている副画素１２０Ｒ、１２０Ｇ、１２０Ｂが全て対応する。
【００５０】
これを図６及び図７に示した従来のプラズマディスプレイパネルと比較する時、４×４の画素１２０、つまり、総計で１６個の画素１２０を考慮する場合、従来は総計で１２個のアドレス電極が必要であったのに比べて、本実施形態では総計で８個のアドレス電極１５だけが必要となる。したがって、同一な画素の数を維持しつつも、本実施形態は、従来に比べてアドレス電極１５の数を減少させることができる。つまり、第１実施形態のプラズマディスプレイパネルは、アドレス電極１５の数を従来のアドレス電極の数に比べて１／３減少させて、アドレス電極１５の端子部の設計を容易にする。
【００５１】
これによって、アドレス電極１５の消費電力が従来の消費電力に比べて１／３減少する。また、アドレス電極１５を制御するアドレス素子（一例として、Ｔａｐｅ  Ｃａｒｒｉｅｒ  Ｐａｃｋａｇｅ（ＴＣＰ）がある）１個が担当するピークパワー（ｐｅａｋ  ｐｏｗｅｒ）が従来に比べて１／３減少する。
【００５２】
また、従来は総計で４個の走査電極が必要であったのに比べて、本実施形態では、総計で６個の走査電極３４が必要となる。したがって、同一な画素の数を維持しつつも、本実施形態は、従来に比べて走査電極３４の数を増加させる。走査素子はアドレス素子に比べて低価格であるので、走査素子が増加しても、アドレス素子の減少によって、パネルを駆動させる全体的な回路の製造費用は低減される。
【００５３】
一方、本実施形態で各副画素１２０Ｒ、１２０Ｇ、１２０Ｂを構成する各放電セル１８は、平面形状が六角形に配置される。したがって、前記放電セル１８は、６方向に辺による境界を形成する。したがって、第１方向（図面のｙ軸方向）に沿って隣接する一対の放電セル１８の境界の延長線は、アドレス電極１５と交差する第２方向（図面のｘ軸方向）に沿って隣接する放電セル１８の中心を通過するように配列される。
【００５４】
図３に示すように、副画素が本実施形態のように配列される場合、つまり各画素を構成する放電セルの中心が二等辺三角形に配置され、前記二等辺三角形の底辺がアドレス電極１５の延長方向と平行に配置される場合には、水平方向、つまり第２方向（図面のｘ軸方向）の空間周波数表示能力が１．２５倍高くなる。つまり、副画素が従来のストライプ構造に配列されている時の水平方向の空間周波数表示能力を１とする時、本実施形態のようにデルタ構造に配置されている放電セルの水平方向の空間周波数表示能力は１．２５となる。ここで、空間周波数とは、１次元データ画像と同様に２次元データ画像が有する周波数の特徴を意味し、一定の空間内に同一な波長の信号がどれほど頻繁に入力されるかに対する数値である。つまり、空間周波数が高ければ、それだけ画像が複雑であるという意味であり、反対に、空間周波数が低ければ、それだけ画像が複雑でないという意味である。したがって、本実施形態は、空間周波数表示能力が水平方向に１．２５倍になるので、水平方向に表示能力が向上する可能性があることを意味する。このような空間周波数表示能力の差について、図面を変えてより詳細に説明する。
【００５５】
図４Ａに示すように、本発明の第１実施形態による画素の配列では、水平ラインの６番目のブラックラインまで表示が可能である。しかし、図４Ｂを参照すれば、ストライプ構造の画素の配列では、水平ラインの５番目のブラックラインまで識別が可能であることが確認できる。つまり、本発明の第１実施形態による画素の配列では、従来のストライプ構造に比べて水平方向の表示能力がより優れているということが分かる。
【００５６】
したがって、ストライプ構造でＲｈ×Ｒｖの解像度を実現するためには、第２方向（水平方向）に１行にＲｈ個の画素が必要であったが、本実施形態でのように、デルタ構造に配列されるプラズマディスプレイパネルでは、Ｒｈ×Ｒｖの解像度を実現するために、第２方向に沿って配列される１行の画素の数がＲｈ個より少なくてもよい。（ここで、Ｒｖは第１方向に沿って配列される画素の数であり、Ｒｈは第２方向に沿って配列される画素の数である）具体的に、本実施形態では、水平方向に放電セルの空間周波数表示能力がストライプ構造での空間周波数表示能力に比べて１．２５倍大きいので、Ｒｈ×Ｒｖの解像度を実現するために、第２方向にＲｈ／１．２５個の画素が配列されればよい。前記のように、１．２５は水平方向に沿って配列される放電セルの空間周波数表示能力の最大値であるので、実質的に第２方向に沿って配列される画素の数はＲｈ／１．２５個以上に設定される。また、第２方向に沿って配列される１行の画素の数はＲｈ個より小さくＲｈ／１．２５個以上に設定される。つまり、第２方向に沿って配列される１行の画素の数は少なくともＲｈ／１．２５個になる。
【００５７】
このように、第２方向に沿って配列される１行の画素の数が少なくともＲｈ／１．２５個であるため、第２方向に沿って配列されるアドレス電極の数がより減少される。つまり、本実施形態では、各画素に２個のアドレス電極が対応するので、結果的に、第２方向に沿って配列されるアドレス電極の数の最小値は２×Ｒｈ／１．２５個になる。そして、本実施形態では、各画素に走査電極が３／２個ずつ対応するので、Ｒｈ×Ｒｖの解像度を実現するために、第１方向に沿って配列される走査電極の数はＲｖｘ３／２個になる。ここで、前記した画素の数は放電セルが集まって構成される画素の数を意味し、ダミー隔壁によって形成されることができるダミー領域でのセルは除外される。
【００５８】
例えば、１９２０×１０８０（ＦＨＤ級）の解像度を有するプラズマディスプレイパネルで水平方向に沿って配列される１行の画素の数は少なくとも１９２０／１．２５＝１５３６個になり、水平方向に沿って配列されるアドレス電極の数は少なくとも２×１９２０／１．２５＝３０７２個になり、垂直方向に沿って配列される走査電極の数は１０８０×３／２＝１６２０個になる。
【００５９】
また、１３６６×７６８（ＸＧＡ級）の解像度を有するプラズマディスプレイパネルで水平方向に沿って配列される１行の画素の数は少なくとも１３６６／１．２５＝１０９３個になり、水平方向に沿って配列されるアドレス電極の数は少なくとも２×１３６６／１．２５＝２１８６個になり、垂直方向に沿って配列される走査電極の数は７６８×３／２＝１１５２個になる。このように、走査電極の数は増加するが、相対的にアドレス電極の数の減少効果がより大きいので、結果的にアドレス消費電力が減少して、アドレス回路の数が減少して、製造費用が低減されるようになる。
【００６０】
図５に示すように、第２実施形態は第１実施形態と構成及び作用効果の大部分が類似しており、１個の画素２２０を構成する副画素２２０Ｒ、２２０Ｇ、２２０Ｂの平面形状が異なる。つまり、第２実施形態で各副画素２２０Ｒ、２２０Ｇ、２２０Ｂを構成する放電セル２８は、平面形状が長方形である。これは、放電セル２８の平面形状が多様に具現されるということを例示するものである。本実施形態においても、第１方向（図面のｙ軸方向）に隣接する一対の放電セル２８の境界の延長線は、第２方向（図面のｘ軸方向）に隣接する放電セル２８の中心を通過するように配列される。
【００６１】
以上で本発明の好ましい実施形態について説明したが、本発明はこれに限定されず、特許請求の範囲、発明の詳細な説明、及び添付した図面の範囲内で多様に変形または変更して実施することができ、これも本発明の範囲に属する。
【産業上の利用可能性】
【００６２】
本発明は、プラズマディスプレイパネルに利用可能である。
【図面の簡単な説明】
【００６３】
【図１】本発明の第１実施形態によるプラズマディスプレイパネルを部分的に示した分解斜視図である。
【図２】本発明の第１実施形態によるプラズマディスプレイパネルの画素及び電極の配列を示した部分平面図である。
【図３】本発明の第１実施形態によるプラズマディスプレイパネルで、放電セルの空間周波数表示能力を説明するための概略図である。
【図４Ａ】本発明の第１実施形態によるプラズマディスプレイパネルと従来のストライプ構造の画素の空間周波数を比較するための説明に供する図である。及び
【図４Ｂ】本発明の第１実施形態によるプラズマディスプレイパネルと従来のストライプ構造の画素の空間周波数を比較するための説明に供する図である。
【図５】本発明の第２実施形態によるプラズマディスプレイパネルの画素及び電極配の列を示した部分平面図である。
【図６】従来のプラズマディスプレイパネルの画素及び電極の配列を一部分示した平面図である。
【図７】従来のプラズマディスプレイパネルの画素及び電極の配列を一部分示した平面図である。
【符号の説明】
【００６４】
１０    第１基板（背面基板）、
１２    誘電層、
１５    アドレス電極、
１８    放電セル、
１２０    画素、
２３    隔壁、
２５    蛍光体層、
３０    第２基板（前面基板）、
３２    維持電極、
３４    走査電極、
３５    表示電極。
【図１】
2008004528.tif 000003
【図２】
2008004528.tif 000004
【図３】
2008004528.tif 000005
【図４Ａ】
2008004528.tif 000006
【図４Ｂ】
2008004528.tif 000007
【図５】
2008004528.tif 000008
【図６】
2008004528.tif 000009
【図７】
2008004528.tif 000010